(57)【要約】【課題】  縦樋固定部材を足掛かりに上階へ登ろうとする侵入者に対して警備能力を発揮すること。【解決手段】  縦樋２を壁面３に固定する縦樋固定部材４に加わる圧力変化を検知するための圧力検知部５と、圧力検知部５からの検知信号を受信して警報を発する警報手段とを具備した縦樋用防犯装置である。侵入者が縦樋固定部材４の圧力検知部５に手や足などを掛けると警報を発することで、縦樋固定部材４を足掛かりに上階へ登ろうとする侵入者に対して警備能力を発揮する。【選択図】      図１
2005215798.tif 000002
【特許請求の範囲】
【請求項１】
縦樋を壁面に固定する縦樋固定部材に加わる圧力変化を検知するための圧力検知部と、圧力検知部からの検知信号を受信して警報を発する警報手段とを具備することを特徴とする縦樋用防犯装置。
【請求項２】
縦樋固定部材を上下に２分割し、分割された水平面の間に圧力検知部を挿入配置したことを特徴とする請求項１記載の縦樋用防犯装置。
【発明の詳細な説明】
【技術分野】
【０００１】
本発明は、侵入者が縦樋を登って家屋に侵入するのを未然に防止するための縦樋用防犯装置に関するものである。
【背景技術】
【０００２】
近年、住宅外構まわりにおける縦樋用の防犯装置に対するニーズが増加している。侵入者の屋内への侵入経路としては、主に、ピッキング等で玄関ドアから建物内に侵入する方法と、窓をやぶって建物内に侵入する方法とがある。とくに後者の場合は、縦樋を登って２階の窓から侵入する場合が多い。
【０００３】
現行の縦樋は、複数の縦樋固定部材を用いて縦樋を上下複数箇所で固定している場合がほとんどである（例えば、特許文献１参照）。
【０００４】
このため、侵入者は、縦樋固定部材を足掛かりに上階へ登ることができる。
【特許文献１】特開２００３−２１７０４１号公報
【発明の開示】
【発明が解決しようとする課題】
【０００５】
本発明は上記の従来の問題点に鑑みて発明したものであって、縦樋固定部材を足掛かりに上階へ登ろうとする侵入者に対して警備能力を発揮できる縦樋用防犯装置を提供することを課題とするものである。
【課題を解決するための手段】
【０００６】
上記課題を解決するために本発明に係る縦樋用防犯装置は、縦樋２を壁面３に固定する縦樋固定部材４に加わる圧力変化を検知するための圧力検知部５と、圧力検知部５からの検知信号を受信して警報を発する警報手段とを具備することを特徴としている。
【０００７】
このような構成とすることで、侵入者が縦樋固定部材４の圧力検知部５に手や足などを掛けると警報を発するので、縦樋固定部材４を足掛かりに上階へ登ろうとする侵入者に対して警備能力を発揮できるものである。
【０００８】
また上記縦樋固定部材４を上下に２分割し、分割された水平面２０の間に圧力検知部５を挿入配置するのが好ましく、この場合、圧力を均一に検知でき、検知精度を向上させることができるので、縦樋固定部材４のどこかに足（或いは手）を掛けると、圧力検知部５がこれを検知して警報を発するようになる。
【発明の効果】
【０００９】
本発明に係る縦樋用防犯装置にあっては、圧力検知部と警報手段とによって、縦樋固定部材を足掛かりに上階へ登ろうとする侵入者に対して警備能力を発揮できるものである。
【発明を実施するための最良の形態】
【００１０】
以下、本発明を添付図面に示す実施形態に基いて説明する。
【００１１】
一般戸建住宅等の家屋の軒先には、図６に示すように、上下複数個の縦樋固定部材４を用いて縦樋２が保持されている。
【００１２】
本実施形態の縦樋固定部材４は、図１に示すように、建物の壁面３に取り付けられる釘孔３０付き壁面取付部７と、圧力検知部５と、外方に広がる略コ字状の縦樋固定部８とが一体に構成されている。
【００１３】
上記圧力検知部５は、壁面取付部７と縦樋固定部８間を連結する水平ベース９上に、絶縁ゴム等からなるクッション材１０が乗載され、クッション材１０の上面及び両側面を覆うように圧力検知カバー１１が被せられている。クッション材１０の内部にはノーマルオープン型のセンサー電極１２が収納されると共に、センサー電極１２の信号線１３が水平ベース９の下孔３１から外部に引き出されて、図３に示す制御回路１４に接続されている。これにより、縦樋固定部材４に例えば靴を乗せると、圧力検知カバー１１が図２の矢印の方向に下降してクッション材１０が圧縮され、センサー電極１２が接触（クローズ）して、警報がなる仕組みとなっている。
【００１４】
上記制御回路１４は、例えば図３に示すように、屋外に面してＬＥＤ表示６ａや、ブザー６ｂ等の警報音を鳴らす警報機能を備えている。また、屋内のＨＡ機器１６には、侵入者検知時に点灯するＬＥＤ等の警報機能が設けられている。さらにこのＨＡ機器１６とＡＣ１００Ｖの屋外電気機器（例えば、カメラ付きドアホン子機１７）とが、屋外設置のジョイントボックス１８を介して接続されている。ジョイントボックス１８には、図４に示すように、光６ｄ、或いはチャイムやブザー６ｃなどの警報機能が設けられている。図４（ｂ）中の３２は上記カメラ付きドアホン子機１７に接続される配線である。なお、警報は、屋内と屋外の両方に限らず、いずれか一方のみに発するものであってもよい。
【００１５】
しかして、侵入者が縦樋固定部材４に手や足などを掛けると、圧力検知カバー１１が押し下げられて、センサー電極１２が接触（クローズ）して、侵入者検知信号が制御回路１４に送られ、屋内及び屋外に警報が鳴るので、縦樋固定部材４を足掛かりに上階へ登ろうとする侵入者に対して充分に警備能力を発揮できるようになる。しかも縦樋固定部材４の圧力検知部５の内部にセンサー電極１２が組み込まれているため、侵入者からは圧力検知部５が視認されず、縦樋２の外観を良くしながら、防犯性能を高めることができる利点がある。さらに、センサー電極１２をクッション材１０の内部に収納し、さらにこのクッション材１０を圧力検知カバー１１で覆っているため、防水性にも優れ、防犯機能を長期に亘って持続できる利点もある。
【００１６】
図５は、本発明の他の実施形態であり、縦樋固定部材４を上下に２分割し、分割された水平面２０の間に圧力検知部５を挿入配置した場合の一例を示している。本例では、縦樋固定部材４を、上側の断面逆コ字形の圧力検知カバー部１１’と、下側の本体部８’とに分割されている。本体部８’は、壁面取付部７と、水平ベース９と、外方に広がる略コ字状の縦樋固定部８とが一体に構成されていると共に、水平ベース９の上面から縦樋固定部８の上面の略全面に亘って圧力検知部５を構成するセンサー電極１２内蔵のクッション材１０が乗載されている。一方、上側の断面逆コ字形の圧力検知カバー部１１’は、本体部８’の水平ベース９から縦樋固定部８に亘って被せられるカバー形状をしており、これにより図５（ｂ）、（ｃ）に示すように、本体部８’と圧力検知カバー部１１’との間の水平面２０に圧力検知部５が挿入配置された形となる。なお図５（ｂ）、（ｃ）では図面の理解を容易にするため、圧力検知カバー部１１’の下面と圧力検知部５との間に隙間を図示しているが、実際は隙間なく接触しているものである。これにより、圧力検知カバー部１１’のどこかに足（或いは手）を掛けると、圧力検知カバー部１１’が下降してクッション材１０が圧縮され、センサー電極１２が接触（クローズ）して、警報がなるので、前記実施形態と同様に、縦樋固定部材４を足掛かりに上階へ登ろうとする侵入者に対して充分に警備能力を発揮できると共に、圧力検知カバー部１１’によって、侵入者からは圧力検知部５が視認されず、縦樋２の外観を良くしながら、防犯性能をより一層、高めることができる構造となり、防水性にも優れ、防犯機能を長期に亘って持続できる作用効果が得られる。さらに本例では、圧力検知カバー部１１’が縦樋固定部材４の壁面取付部７を除いたほぼ全面を覆っているため、圧力検知カバー部１１’のどこに侵入者が手や足などが掛かっても、圧力を均一に検知できるようになり、検知精度を向上させることができる結果、一層、警備能力を発揮できるものとなる。
【図面の簡単な説明】
【００１７】
【図１】本発明の一実施形態を示し、（ａ）は斜視図、（ｂ）は正面断面図である。
【図２】同上の圧力検知部に足を掛けた場合の動作説明図である。
【図３】同上の防犯システムの制御ブロック図である。
【図４】（ａ）は同上の縦樋が取り付けられる家屋の斜視図、（ｂ）は（ａ）のＣ部の拡大図である。
【図５】（ａ）は本発明の他の実施形態の分解斜視図、（ｂ）は（ａ）のＡ−Ａ線断面図、（ｃ）は（ａ）のＢ−Ｂ線断面図である。
【図６】（ａ）は同上の縦樋の施工状態の説明図、（ｂ）は縦樋を固定する縦樋固定部材の施工状態の説明図である。
【符号の説明】
【００１８】
１  縦樋用防犯装置
２  縦樋
３  壁面
４  縦樋固定部材
５  圧力検知部
２０  水平面
【図１】
2005215798.tif 000003
【図２】
2005215798.tif 000004
【図３】
2005215798.tif 000005
【図４】
2005215798.tif 000006
【図５】
2005215798.tif 000007
【図６】
2005215798.tif 000008